(57)【要約】【課題】液晶パネルにおける立体視の見難さを改善する。【解決手段】第１の映像と第２の映像を切り替えて表示する表示手段と、前記表示手段で前記第１の映像から前記第２の映像への切り替え中に前記第１の映像が表示された領域と前記第２の映像が表示された領域が混在している場合、前記表示手段のうち前記第１の映像が表示された領域または前記第２の映像が表示された領域のいずれか一方の少なくとも一部の照明をオンする照明手段とを有する。【選択図】      図９
2010066749.tif 000002
【特許請求の範囲】
【請求項１】
左右のうち一方の目を覆い、開状態の場合は透過し、閉状態の場合は遮断する第１の開閉手段と、他方の目を覆い、開状態の場合は透過し、閉状態の場合は遮断するものであって、前記第１の開閉手段の状態と反対の状態とする第２の開閉手段とを有する眼鏡に対して用いられる液晶パネルにおいて、
ｎ行の走査線を有し、最上段の前記走査線から最下段の前記走査線に向かって前記走査線を１行ごとに前記一方の目に見せるための第１の映像から前記他方の目に見せるための第２の映像へ切り替えて表示する表示手段と、
前記第１の映像から前記第２の映像への切り替え中に前記表示手段において前記第１の映像が表示された領域と前記第２の映像が表示された領域が混在している場合、前記ｎ行の前記走査線のうち前記表示手段が前記第１の映像から前記第２の映像へ書き換える１行のみ照明を順次にオンし、残りの行に対して照明をオフする照明手段と、
を有することを特徴とする液晶パネル。
【請求項２】
左右のうち一方の目を覆い、開状態の場合は透過し、閉状態の場合は遮断する第１の開閉手段と、他方の目を覆い、開状態の場合は透過し、閉状態の場合は遮断するものであって、前記第１の開閉手段の状態と反対の状態とする第２の開閉手段とを有する眼鏡に対して用いられる映像表示装置において、
ｎ行の走査線を有し、最上段の前記走査線から最下段の前記走査線に向かって前記走査線を１行ごとに前記一方の目に見せるための第１の映像から前記他方の目に見せるための第２の映像へ切り替えて表示する表示手段と、
前記表示手段に対して照明する照明手段と、
前記第１の映像から前記第２の映像への切り替え中に前記表示手段に前記第１の映像が表示された領域と前記第２の映像が表示された領域が混在している場合、前記表示手段のうち前記ｎ行の前記走査線のうち前記表示手段が前記第１の映像から前記第２の映像へ書き換える１行のみに対して前記照明手段による照明を順次にオンし、残りの行に対して照明をオフするように制御する制御手段と、
を有することを特徴とする映像表示装置。
【請求項３】
左右のうち一方の目を覆い、開状態の場合は透過し、閉状態の場合は遮断する第１の開閉手段と、他方の目を覆い、開状態の場合は透過し、閉状態の場合は遮断するものであって、前記第１の開閉手段の状態と反対の状態とする第２の開閉手段とを有する眼鏡に対して用いられる映像表示方法において、
ｎ行の走査線を有する表示手段の最上段の前記走査線から最下段の前記走査線に向かって前記走査線を１行ごとに前記一方の目に見せるための第１の映像から前記他方の目に見せるための第２の映像へ切り替え、
前記第１の映像から前記第２の映像への切り替え中に前記第１の映像が表示された領域と前記第２の映像が表示された領域が混在している場合、前記ｎ行の前記走査線のうち前記第１の映像から前記第２の映像へ書き換える１行のみに対して照明を順次にオンし、残りの行に対して照明オフする、
ことを特徴とする映像表示方法。
【発明の詳細な説明】
【技術分野】
【０００１】
この発明は、バックライトを有する液晶パネルにおける立体視するための制御技術に関する。
【背景技術】
【０００２】
近年、ユーザは、モニタ上に映し出される画面を視認することで立体画像を見ることができる。これは、モニタ上に映し出されるフレームデータのうち左目に見せるためのフレームデータと右目に見せるためのフレームデータとを左右それぞれの目に対してのみ視認させる制御によって、ユーザは、画像の立体視が可能となる。
【０００３】
このようなモニタ上に映し出される画面の立体視方法の一例として、オープン状態とクローズ状態を切り替え可能な液晶シャッタを設けた眼鏡（液晶シャッタ眼鏡）をかけたユーザがモニタ上の画面を見る方法がある。
【０００４】
ここで、ＣＲＴ（Cathode Ray Tube）モニタ上で左目に見せるためのフレームデータと右目に見せるためのフレームデータとを交互に切り替えて表示する場合、ＣＲＴのインパルス特性によりモニタ上に表示されるフレームデータ前後のフレームデータと重ならないため、液晶シャッタ眼鏡で立体視できる。しかしながら、ＬＣＤ（Liquid Crystal Display液晶パネル）上では、線順次性およびホールド特性により、モニタ上に表示されるフレームデータは過渡的に切り替わる。そのため、画面全体に一枚のフレームデータが確定している状態は短時間である。したがって、ユーザが使用する液晶シャッタ眼鏡の制御は困難となり、立体視が難しい。
【０００５】
特許文献１には、第１観察用映像と第２観察用映像をラスタ走査で時分割して表示し、ドットマトリクス上バックライトが映像に合わせて一部領域を消燈する立体映像表示装置に関して開示されている。
【特許文献１】特開２００５−７７４３７号公報
【発明の開示】
【発明が解決しようとする課題】
【０００６】
しかし、特許文献１に記載の立体映像表示装置では、視聴する人がかけるシャッタ眼鏡を用いた立体視に関する記載はない。また、特許文献１には、時分割方式のバックライト制御に関する記載はなく、時分割方式の制御には適さない。
【０００７】
そこでこの発明の目的は、液晶パネルにおける立体視の見難さを改善する液晶パネル、映像表示装置および映像表示方法を提供することにある。
【課題を解決するための手段】
【０００８】
この発明の一実施の形態の液晶パネルは、第１の映像から第２の映像へ切り替えて表示する表示手段と、前記第１の映像から前記第２の映像への切り替え中に前記表示手段において前記第１の映像が表示された領域と前記第２の映像が表示された領域が混在している場合、前記表示手段のうち前記第１の映像が表示された領域または前記第２の映像が表示された領域のいずれか一方の少なくとも一部分の照明をオンする照明手段とを有する。
【０００９】
この発明の一実施の映像表示装置は、第１の映像と第２の映像を切り替えて表示する表示手段と、前記表示手段に対して照明する照明手段と、前記表示手段で前記第１の映像から前記第２の映像への切り替え中に前記第１の映像が表示された領域と前記第２の映像が表示された領域が混在している場合、前記表示手段のうち前記第１の映像が表示された領域または前記第２の映像が表示された領域のいずれか一方の少なくとも一部の照明をオンするように制御する制御手段とを有する。
【００１０】
この発明の一実施の映像表示方法は、画面を第１の映像と第２の映像を切り替えて表示し、前記第１の映像から前記第２の映像への切り替え中に前記第１の映像が表示された領域と前記第２の映像が表示された領域が混在している場合、前記画面のうち前記第１の映像が表示された領域または前記第２の映像が表示された領域のいずれか一方の少なくとも一部の照明をオンする。
【発明の効果】
【００１１】
これにより、液晶パネルに表示されるフレームデータのホールド特性に関係なく、立体視における残像を減少させることができる。
【発明を実施するための最良の形態】
【００１２】
以下、図面を参照しながらこの発明の実施の形態を説明する。まずこの発明が適用される液晶パネルを備えた映像表示装置について概要を説明する。
【００１３】
図１は、この実施形態で説明するデジタルテレビジョン放送受信装置１１の概観を示している。本実施形態では、映像表示装置をデジタルテレビジョン放送受信装置１１として説明するが、これに限らず、他にもＰＣのモニタなどにも適用できる。
【００１４】
デジタルテレビジョン放送受信装置１１は、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１５】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１６】
チューナ４５で選局された放送信号は、ＰＳＫ（Phase Shift Keying）復調器４６に供給されて、デジタルの映像信号及び音声信号に復調された後、信号処理部４７に出力される。
【００１７】
また地上波アナログ信号を受信するアナログチューナ６８も設けられている。アナログチューナ６８で受信された信号は、アナログ復調器６９で復調され信号処理部４７に出力される。
【００１８】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１９】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２０】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００２１】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００２２】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力して映像表示させる。
【００２３】
また、この映像処理部５５は、バックライト２６のオン／オフ制御をする。図３に、映像表示器１４の映像信号の表示およびバックライト３６のオン／オフ制御の概略図を示す。映像表示器１４は、画面の上方から下方に向かって、複数本の走査線を水平方向に有している。映像処理部５５は、映像信号を映像表示器１４の上方の走査線から下方の走査線に向かって順次矢印方向に１列ごと書き換え、一つのフレームデータを表示する。
【００２４】
また、バックライト２６は、映像表示器１４を裏面から照明する。バックライト２６は、映像表示器１４が有している走査線の列ごとに照明することが可能である。そして、映像処理部５５は、バックライト２６でどの映像表示器１４の走査線を照明するか否かをオン／オフ制御する。ユーザは、バックライト２６で照明された映像表示器１４の部分のフレームデータを視認することができる。逆に、ユーザは、バックライト２６で照明されていない映像表示器１４の部分のフレームデータを視認することができない。本実施形態に係るバックライト２６のオン／オフ制御については、後に詳述する。
【００２５】
上記音声処理部５３は、入力されたデジタルの音声信号を、スピーカ１５で再生可能なフォーマットのアナログ音声信号に変換し、スピーカ１５に出力して音声再生させる。
【００２６】
ここで、このデジタルテレビジョン放送受信装置１１は、上記した各種の受信動作を含むその全ての動作を制御部５６によって統括的に制御されている。
【００２７】
制御部５６は、ＣＰＵ（Central Processing Unit）等を内蔵している。操作部１６からの操作情報を受けたとき、または、リモートコントローラ１７から送出された操作情報を受光部１８を介して受信したとき、制御部５６は、その操作内容が装置に反映されるように各部をそれぞれ制御している。
【００２８】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００２９】
制御部５６は、カードＩ／Ｆ（Interface）６０を介して、例えばＳＤ（Secure Digital）メモリカード、ＭＭＣ（Multimedia Card）及びメモリスティック等の第１のメモリカード１９が装着可能なカードホルダ６１と接続されている。これによって、制御部５６は、カードホルダ６１に装着された第１のメモリカード１９と、カードＩ／Ｆ６０を介して情報伝送を行なうことができる。
【００３０】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３１】
制御部５６は、通信Ｉ／Ｆ６４を介して第１のＬＡＮ（Local Area Network）端子２１に接続されている。これにより、制御部５６は、第１のＬＡＮ端子２１に接続された各機器と、通信Ｉ／Ｆ６４を介して情報伝送を行なうことができる。
【００３２】
第１のＬＡＮ端子２１には、図４および図５に示すような液晶シャッタ眼鏡（左側）２７および液晶シャッタ眼鏡（右側）２８が接続されている。ユーザは、左右の目にそれぞれ液晶シャッタ眼鏡（左側）２７および液晶シャッタ眼鏡（右側）２８を装着する。制御部５６は、液晶シャッタ眼鏡（左側）２７および液晶シャッタ眼鏡（右側）２８それぞれのオープン状態またはクローズ状態を制御する。したがって、ユーザは、映像表示器１４に表示される左目に見せるための映像および右目に見せるための映像をそれぞれ左右それぞれの目で見ることで立体視できる。制御部５６による液晶シャッタ眼鏡（左側）２７および液晶シャッタ眼鏡（右側）２８に対するオープン状態またはクローズ状態の制御は、後に詳述する。
【００３３】
制御部５６は、通信Ｉ／Ｆ６５を介して第２のＬＡＮ端子２２に接続されている。これにより、制御部５６は、例えば、第２のＬＡＮ端子２３に接続されたＬＡＮ対応のＨＤＤと、通信Ｉ／Ｆ６５を介して情報伝送を行なうことができる。この場合、制御部５６は、ＤＨＣＰ（Dynamic Host Configuration Protocol）サーバ機能を有し、第２のＬＡＮ端子２２に接続されたＬＡＮ対応のＨＤＤにＩＰ（Internet Protocol）アドレスを割り当てて制御している。
【００３４】
この第２のＬＡＮ端子２２に接続されたＮＡＳ（Network Attached Storage）であるＬＡＮ対応のＨＤＤに対して、イーサネット（登録商標）により情報の記録再生を行なうために使用される。
【００３５】
このように、ＬＡＮ対応ＨＤＤ専用ポートとしての第２のＬＡＮ端子２２を設けることにより、他のネットワーク環境やネットワーク使用状況等に影響されることなく、ＨＤＤに対してハイビジョン画質による番組の情報記録を安定して行なうことが可能となる。
【００３６】
制御部５６は、ＵＳＢ（Universal Serial Bus） Ｉ／Ｆ６６を介してＵＳＢ端子２３に接続されている。これにより、制御部５６は、ＵＳＢ端子２３に接続された各機器と、ＵＳＢ Ｉ／Ｆ６６を介して情報伝送を行なうことができる。
【００３７】
上記制御部５６は、ｉ．Link（登録商標） Ｉ／Ｆ６７を介してｉ．Link（登録商標）端子２４に接続されている。これにより、制御部５６は、ｉ．Link（登録商標）端子２４に接続された各機器と、ｉ．Link（登録商標）Ｉ／Ｆ６７を介して情報伝送を行なうことができる。
【００３８】
図４および図５は、映像表示器１４およびバックライト２６に対する制御と液晶シャッタ眼鏡（左側）２７および液晶シャッタ眼鏡（右側）２８に対する制御を示す図である。図４は、液晶シャッタ眼鏡（右側）をオープン状態とする場合の制御系を示したブロック図である。図５は、液晶シャッタ眼鏡（左側）をオープン状態とする場合の制御系を示したブロック図である。制御部５６は、液晶シャッタ眼鏡（左側）２７をオープン状態またはクローズ状態に制御する。液晶シャッタ眼鏡（左側）２７がオープン状態のとき、ユーザは、左目で映像表示器１４に表示される映像を見ることができる。液晶シャッタ眼鏡（左側）２７がクローズ状態のとき、ユーザは、左目の視界が遮られ、左目で映像表示器１４に表示される映像を見ることができない。同様に、液晶シャッタ眼鏡（右側）２８は、右目用のレンズである。制御部５６は、液晶シャッタ眼鏡（右側）２８をオープン状態またはクローズ状態に制御する。液晶シャッタ眼鏡（右側）２８がオープン状態のとき、ユーザは、右目で映像表示器１４に表示される映像を見ることができる。液晶シャッタ眼鏡（右側）２８がクローズ状態のとき、ユーザは、右目の視界が遮られ、右目で映像表示器１４に表示される映像を見ることができない。
【００３９】
図４および図５に示すように、映像処理部５５は、映像信号であるフレームデータを映像表示器１４に送信する。映像処理部５５は、右目に見せるための映像と左目に見せるための映像を順番にフレームデータとして送信する。また、映像処理部５５は、映像表示器１４を照明するバックライト２６のオン／オフを制御するＨ信号、Ｌ信号で構成されるバックライト制御信号を送信する。映像処理部５５は、制御部５６にフレーム制御信号を送信する。フレーム制御信号は、フレームデータのステータスを示した信号である。つまり。フレーム制御信号は、左目に見せるためのフレームデータが映像表示器１４に出力された場合、液晶シャッタ眼鏡（左側）２７をオープン状態とするために、Ｌ信号となる。また、フレーム制御信号は、右目に見せるためのフレームデータが映像表示器１４に出力された場合、液晶シャッタ眼鏡（右側）２８をオープン状態とするために、Ｈ信号となる。
【００４０】
そして、制御部５６は、シャッタ眼鏡（左側）２７をオープン状態またはクローズ状態に制御するシャッタＬ側制御信号を送信する。同様に、制御部５６は、シャッタ眼鏡（右側）２８をオープン状態またはクローズ状態に制御するシャッタＲ側制御信号を送信する。制御部５６は、フレーム制御信号のＬ信号かＨ信号化に応じて、液晶シャッタ眼鏡（左側）２７および液晶シャッタ眼鏡（右側）２８に対して相反するオープン／クローズを制御する信号を送信する。
【００４１】
ここで、図６は、液晶シャッタ眼鏡（右側）２７および液晶シャッタ眼鏡（左側）２８をオープン状態またはクローズ状態にする時の各制御信号を示した図である。図６は、映像処理部５５が映像表示器１４に入力するフレームデータ、映像処理部５５が制御部５６に入力するフレーム制御信号、映像処理部５５が液晶シャッタ眼鏡（左側）２７のオープン状態またはクローズ状態を制御するシャッタＬ側制御信号、映像処理部５５が液晶シャッタ眼鏡（右側）２８のオープン状態またはクローズ状態を制御するシャッタＲ側制御信号を時系列に沿って示した図である。
【００４２】
映像表示器１４には、ユーザの左目に見せるためのフレームデータと右目に見せるためのフレームデータが交互に表示される。映像処理部５５がユーザの左目に見せるためのフレームデータを映像表示器１４に送信した場合、映像処理部５５は、液晶シャッタ眼鏡（左側）２７をオープン状態とするために、Ｌ信号のフレーム制御信号を制御部５６に送信する。
【００４３】
そして、制御部５６は、液晶シャッタ眼鏡（左側）２７をオープン状態とするためにシャッタＬ側制御信号としてＨ信号を液晶シャッタ眼鏡（左側）２７に送信する。液晶シャッタ眼鏡（左側）２７は、オープン状態となる。このとき、制御部５６は、液晶シャッタ眼鏡（右側）２８をクローズ状態とするためにシャッタＲ側制御信号としてＬ信号を液晶シャッタ眼鏡（右側）２８に送信する。液晶シャッタ眼鏡（右側）２８は、クローズ状態となる。この時の状態を図５に示す。ユーザは、右目でのみ映像表示器１４に表示されたフレームデータを見ることができる。
【００４４】
次に、映像処理部５５がユーザの右目に見せるためのフレームデータを映像表示器１４に送信した場合、映像処理部５５は、液晶シャッタ眼鏡（右側）２８をオープン状態とするために、Ｈ信号のフレーム制御信号を制御部５６に送信する。
【００４５】
そして、制御部５６は、液晶シャッタ眼鏡（右側）２８をオープン状態とするためにシャッタＲ側制御信号としてＨ信号を液晶シャッタ眼鏡（右側）２８に送信する。液晶シャッタ眼鏡（右側）２８は、オープン状態となる。このとき、制御部５６は、液晶シャッタ眼鏡（左側）２７をクローズ状態とするためにシャッタＬ側制御信号としてＬ信号を液晶シャッタ眼鏡（左側）２７に送信する。液晶シャッタ眼鏡（左側）２７は、クローズ状態となる。この時の状態を図４に示す。ユーザは、左目でのみ映像表示器１４に表示されたフレームデータを見ることができる。
【００４６】
上記のように、制御部５６は、液晶シャッタ眼鏡（左側）２７および液晶シャッタ眼鏡（右側）２８それぞれのオープン状態とクローズ状態を制御している。
【００４７】
次に、液晶パネルである映像表示器１４に出力するフレームデータについて図７を用いて説明する。
【００４８】
映像表示器１４は、時間軸に沿ってフレームＡ、Ｂ、Ｃ、Ｄ、Ｅ、Ｆ、Ｇ、Ｈ、Ｉ、Ｊ、Ｋ、Ｌ、Ｍの順で画面上に表示する。ここでは、フレームＡに１枚目のフレームデータを出力し、その後、２枚目、３枚目、４枚目のフレームデータを出力する例について説明する。各フレームにおける細斜線部分は、１枚目、３枚目のフレームデータを示している。また、細斜線部分は、右目に見せるためのフレームデータを示している。各フレームにおけるドット部分は、２枚目、４枚目のフレームデータを示している。また、ドット部分は、左目に見せるためのフレームデータを示している。
【００４９】
ここで、映像処理部５５は、映像表示器１４に対して１枚目のフレームデータ（フレームＡの状態）、２枚目のフレームデータ（フレームＥの状態）、３枚目のフレームデータ（フレームＩの状態）、４枚目のフレームデータ（フレームＭの状態）の順で出力する。
【００５０】
映像表示器１４は、液晶パネルであるため、線順次性およびホールド特性により、例えばフレームＡからフレームＥに瞬時に切り替えて画面に表示することは容易ではない。
【００５１】
映像処理部５５は、映像表示器１４の画面の列ごとに画面の上方から下方に向かって新たなフレームデータを書き込む。そのため、映像表示器１４は、フレームＡの状態からフレームＥの状態に画面の表示を切り替えるとき、例えばフレームＢ、Ｃ、Ｄに示すように、１枚目のフレームデータと２枚目のフレームデータを一つの画面に重ねて表示する。２枚目のフレームデータは、画面に表示されている１枚目のフレームデータに対して、画面の上部から下部に向かって一列ごと書き換えられる。
【００５２】
フレームＢは、映像表示器１４が画面の上方４分の１に２枚目のフレームデータを表示し、下方４分の３に依然として１枚目のフレームデータを表示した状態を示している。フレームＣは、フレームＢの状態から時間経過した状態であり、映像表示器１４が画面の上方２分の１に２枚目のフレームデータを表示し、下方２分の１に依然として１枚目のフレームデータを表示した状態を示している。フレームＤは、フレームＣの状態から時間経過した状態であり、映像表示器１４が画面の上方４分の３に２枚目のフレームデータを表示し、下方４分の１に依然として１枚目のフレームデータを表示した状態を示している。フレームＥは、フレームＤの状態から時間経過した状態であり、映像表示器１４が２枚目のフレームデータが完全に表示した状態を示している。
【００５３】
同様に、映像表示器１４は、フレームＥの状態からフレームＩの状態に画面の表示を切り替えるとき、例えばフレームＦ、Ｇ、Ｈに示すように、２枚目のフレームデータと３枚目のフレームデータを一つの画面に重ねて表示する。
【００５４】
フレームＦは、映像表示器１４が画面の上方４分の１に３枚目のフレームデータを表示し、下方４分の３に依然として２枚目のフレームデータを表示した状態を示している。フレームＧは、フレームＦの状態から時間経過した状態であり、映像表示器１４が画面の上方２分の１に３枚目のフレームデータを表示し、下方２分の１に依然として２枚目のフレームデータを表示した状態を示している。フレームＨは、フレームＧの状態から時間経過した状態であり、映像表示器１４が画面の上方４分の３に３枚目のフレームデータを表示し、下方４分の１に依然として２枚目のフレームデータを表示した状態を示している。フレームＩは、フレームＨの状態から時間経過した状態であり、映像表示器１４が３枚目のフレームデータが完全に表示した状態を示している。
【００５５】
さらに、映像表示器１４は、フレームＩを出力した状態からフレームＭを出力する状態に画面の表示を切り替えるとき、例えばフレームＪ、Ｋ、Ｌに示すように、３枚目のフレームデータと４枚目のフレームデータを一つの画面に重ねて表示する。
【００５６】
フレームＪは、映像表示器１４が画面の上方４分の１に４枚目のフレームデータを表示し、下方４分の３に依然として３枚目のフレームデータを表示した状態を示している。フレームＫは、フレームＪの状態から時間経過した状態であり、映像表示器１４が画面の上方２分の１に４枚目のフレームデータを表示し、下方２分の１に依然として３枚目のフレームデータを表示した状態を示している。フレームＬは、フレームＫの状態から時間経過した状態であり、映像表示器１４が画面の上方４分の３に４枚目のフレームデータを表示し、下方４分の１に依然として３枚目のフレームデータを表示した状態を示している。フレームＭは、フレームＨの状態から時間経過した状態であり、映像表示器１４が４枚目のフレームデータが完全に表示した状態を示している。
【００５７】
図８は、上記説明したように画面表示する映像表示器１４に対するバックライト２６のオン／オフ制御した場合の映像出力を示す。図８の左図は、映像表示器１４が表示するフレームデータである。このフレームデータは、図７のフレームＣの状態を示している。フレームＣは、映像表示器１４が画面の上方２分の１に２枚目のフレームデータを表示し、下方２分の１に依然として１枚目のフレームデータを表示した状態である。
【００５８】
図８の真中図は、映像表示器１４に対して照明するバックライト２６のオン／オフを示す図である。映像処理部５５は、バックライト２６を映像表示器１４の上半分をオフ状態（図では太斜線で表示）、下半分をオン状態（図では白地で表示）とするように制御している。
【００５９】
図８の右図は、実際にユーザの視界に入るフレームデータを示す図である。映像表示器１４に表示されたフレームデータ（図８左図）とバックライト２６が映像表示器１４を照明する画面位置を重ね合わせると、図８の右図に示すように、バックライト２６がオフ状態の映像表示器１４の上半分に表示された２枚目のフレームデータは、ユーザの目には映らない。バックライト２６がオン状態の映像表示器１４の下半分に表示されたフレームデータのうち下半分の１枚目のフレームデータのみがユーザの目に映る。
【００６０】
次に、上記デジタルテレビジョン放送受信装置１１において、バックライト２６のオン／オフ制御について図９および図１０を用いて第１の実施形態を説明する。
【００６１】
図９は、第１の実施形態にかかるバックライト２６のオン／オフ制御およびこれに伴いユーザの視界に入る映像を示した図である。
【００６２】
図９は、上段から、図７に示したフレームＡからＭ、バックライト２６のオン／オフ、液晶シャッタ眼鏡（左側）および液晶シャッタ眼鏡（右側）のオープン状態／クローズ状態、そして、上記３つの状態における左目に映る映像および右目に映る映像を示している。
【００６３】
ここで、バックライト２６のオンオフ制御について図１０に示すフローチャートを用いて説明する。はじめに、映像処理部５５は、ａ＝１をセットして映像表示器１４およびバックライト２６を制御する（ステップＳ１００）。映像処理部５５は、上からａ列目（はじめは１列目）のバックライト２６をオフにする（ステップＳ１０１）。
【００６４】
そして、映像処理部５５は、映像表示器１４の画面のａ列目にフレームデータを書き込む（ステップＳ１０２）。次に、映像処理部５５は、ａ＝ａ＋１をセットして映像表示器１４およびバックライト２６を制御する（ステップＳ１０３）。映像処理部５５は、ａ＝映像表示器１４の画面の列数か否かを判断する（ステップＳ１０４）。ａ＝映像表示器１４の画面の列数でない場合（ステップＳ１０４、ＮＯ）、ステップＳ１０１に戻る。ａ＝映像表示器１４の画面の列数の場合（ステップＳ１０４、ＹＥＳ）、映像処理部５５は、映像表示器１４の画面全体のバックライト２６をオンする（ステップＳ１０５）。そして、映像処理部５５は、映像表示器１４の画面のａ列目（最終列）にフレームデータを書き込む（ステップＳ１０６）。
【００６５】
映像処理部５５は、映像表示器１４の画面に表示するフレームデータがあるか否かを判断する（ステップＳ１０７）。フレームデータが最後である場合（ステップＳ１０７、ＹＥＳ）、映像処理部５５は、映像表示器１４およびバックライト２６に対する制御を終了する（ステップＳ１０８）。フレームデータが最後でない場合（ステップＳ１０７、ＮＯ）、映像処理部５５は、ステップＳ１００に戻って映像表示器１４およびバックライト２６に対して制御する。
【００６６】
つまり、映像処理部５５は、図１０に示すように映像表示器１４の画面の列ごとに画面の上方から下方に向かって新たなフレームデータを書き込むのと同じタイミングで、画面の列数全てに対してフレームデータが書き込まれた場合を除いて、画面の上方からフレームデータが書き込まれた列までのバックライト２６をオフ状態となるように制御する。
【００６７】
また、制御部５６は、フレームＡからフレームＤまでが映像表示器１４に表示される間、液晶シャッタ眼鏡（左側）２７をクローズ状態（図では太斜線で表示）、液晶シャッタ眼鏡（右側）２８をオープン状態（図では白地で表示）となるように制御する。次に、制御部５６は、フレームＥからフレームＨまでが映像表示器１４に表示される間、液晶シャッタ眼鏡（左側）２７をオープン状態、液晶シャッタ眼鏡（右側）２８をクローズ状態となるように制御する。次に、制御部５６は、フレームＩからフレームＬまでが映像表示器１４に表示される間、液晶シャッタ眼鏡（左側）２７をクローズ状態、液晶シャッタ眼鏡（右側）２８をオープン状態となるように制御する。
【００６８】
映像表示器１４が、右目に見せるフレームデータが完全に表示した状態から左目に見せるフレームデータが完全に表示される状態までは、液晶シャッタ眼鏡（左側）２７はクローズ状態、液晶シャッタ眼鏡（右側）２８はオープン状態となる。つまり、映像表示器１４が、画面の上方に左目に見せるためのフレームデータ、下方に右目に見せるためのフレームデータが重ねて表示している場合は、液晶シャッタ眼鏡（左側）２７はクローズ状態、液晶シャッタ眼鏡（右側）２８はオープン状態となる。
【００６９】
逆に、映像表示器１４が、左目に見せるためのフレームデータが完全に表示した状態から右目に見せるためのフレームデータが完全に表示される状態までは、液晶シャッタ眼鏡（左側）２７はオープン状態、液晶シャッタ眼鏡（右側）２８はクローズ状態となる。つまり、映像表示器１４が、画面の上方に右目に見せるフレームデータ、下方に左目に見せるフレームデータが重ねて表示している場合は、液晶シャッタ眼鏡（左側）２７はオープン状態、液晶シャッタ眼鏡（右側）２８はクローズ状態となる。
【００７０】
上記説明したバックライト２６のオン／オフ制御、これに対応する液晶シャッタ眼鏡（左側）２７および液晶シャッタ眼鏡（右側）２８のオープン状態またはクローズ状態への制御により、ユーザの左右の目に入る映像表示器１４に表示されるフレームデータの映像は図９に示すようになる。
【００７１】
つまり、図８に示したように、バックライト２６がオフ状態の場合、映像表示器１４に表示されたフレームデータは、ユーザの視界に入らない。また、図４および図５に示したように、液晶シャッタ眼鏡（左側）２７がクローズ状態のとき、映像表示器１４に表示されたフレームデータは、ユーザの左目には映らない。同様に、液晶シャッタ眼鏡（右側）２８がクローズ状態のとき、映像表示器１４に表示されたフレームデータは、ユーザの右目には映らない。
【００７２】
したがって、液晶シャッタ眼鏡（左側）２７を介してユーザの左目には、液晶シャッタ眼鏡（左側）２７がクローズ状態であるフレームＡからフレームＤまでが映像表示器１４に表示される間、映像表示器１４に表示されたフレームデータは映らない。次に、フレームＥからフレームＨまでが映像表示器１４に表示される間、液晶シャッタ眼鏡（左側）２７がオープン状態であるため、液晶シャッタ眼鏡（左側）２７を介してユーザの左目には、映像表示器１４に表示されたフレームデータは映る。このとき、バックライト２６は、映像表示器１４の画面の上方から下方に向かって右目に見せるためのフレームデータが書き込まれるのと同じタイミングで画面の上方からフレームデータが書き込まれた列までオフとしている。そのため、液晶シャッタ眼鏡（左側）２７を介してユーザの左目には、映像表示器１４に表示されたフレームデータのうち左目に見せるためのフレームデータのみ映ることになる。
【００７３】
逆に、液晶シャッタ眼鏡（右側）２８を介してユーザの左目には、液晶シャッタ眼鏡（右側）２８がオープン状態であるフレームＡからフレームＤまでが映像表示器１４に表示される間、液晶シャッタ眼鏡（右側）２８がオープン状態であるため、液晶シャッタ眼鏡（右側）２８を介してユーザの右目には、映像表示器１４に表示されたフレームデータは映る。このとき、バックライト２６は、映像表示器１４の画面の上方から下方に向かって左目に見せるためのフレームデータが書き込まれるのと同じタイミングで画面の上方からフレームデータが書き込まれた列までオフとしている。そのため、液晶シャッタ眼鏡（右側）２８を介してユーザの右目には、映像表示器１４に表示されたフレームデータのうち右目に見せるためのフレームデータのみ映ることになる。次に、フレームＥからフレームＨまでが映像表示器１４に表示される間、液晶シャッタ眼鏡（右側）２８がクローズ状態であるため、液晶シャッタ眼鏡（右側）２８を介してユーザの右目には、映像表示器１４に表示されたフレームデータは映らない。次に、フレームＩからフレームＬまでが映像表示器１４に表示される間、上記説明したフレームＩからフレームＬまでの間と同様に液晶シャッタ眼鏡（右側）２８を介してユーザの右目には、映像表示器１４に表示されたフレームデータのうち右目に見せるためのフレームデータのみ映ることになる。
【００７４】
上記実施形態により、右目に見せるためのフレームデータと左目に見せるためのフレームデータが一つのフレームに重なり合っている場合であっても、左右の目には、それぞれの目に見せるためのフレームデータ以外は映らない。したがって、映像表示器１４に表示されるフレームデータの動作速度に関係なく、立体視における残像を減少させることができる。また、本実施形態では、バックライト２６、液晶シャッタ眼鏡（左側）２７および液晶シャッタ眼鏡（右側）２８の制御は容易にできる。
【００７５】
次に、上記デジタルテレビジョン放送受信装置１１において、バックライト２６のオン／オフ制御について図１１および図１２を用いて第２の実施形態を説明する。
【００７６】
図１１は、第２の実施形態にかかるバックライト２６のオン／オフ制御およびこれに伴いユーザの視界に入る映像を図１９と同様に示した図である。ここで、バックライト２６のオンオフ制御について図１２に示すフローチャートを用いて説明する。
【００７７】
はじめに、映像処理部５５は、ａ＝１をセットして映像表示器１４およびバックライト２６を制御する（ステップＳ２００）。映像処理部５５は、上からａ列目（はじめは１列目）のバックライト２６をオフにする（ステップＳ２０１）。
【００７８】
そして、映像処理部５５は、映像表示器１４の画面のａ列目にフレームデータを書き込む（ステップＳ２０２）。次に、映像処理部５５は、ａ＝ａ＋１をセットして映像表示器１４およびバックライト２６を制御する（ステップＳ２０３）。映像処理部５５は、上方からａ列目が映像表示器１４の画面の全列数の２分の１よりも大きいか否かを判断する（ステップＳ２０４）。ａ列目が映像表示器１４の画面の全列数の２分の１よりも大きくない場合（ステップＳ２０４、ＮＯ）、ステップＳ１０１に戻る。ａ列目が映像表示器１４の画面の全列数の２分の１よりも大きい場合（ステップＳ２０４、ＹＥＳ）、映像処理部５５は、映像表示器１４の０からａ−１列目までのバックライト２６をオンし、ａ＋１列目以降のバックライト２６をオフする（ステップＳ２０５）。次に、映像処理部５５は、映像表示器１４のａ列目のバックライト２６をオンする（ステップＳ２０６）。そして、映像処理部５５は、映像表示器１４の画面のａ＋１列目にフレームデータを書き込む（ステップＳ２０７）。映像処理部５５は、ａ＝ａ＋１をセットして映像表示器１４およびバックライト２６を制御する（ステップＳ２０８）。
【００７９】
映像処理部５５は、ａ＝映像表示器１４の画面の最後の列数か否かを判断する（ステップＳ２０９）。ａ＝映像表示器１４の画面の最後の列数でない場合（ステップＳ２０９、ＮＯ）、ステップＳ２０６に戻る。ａ＝映像表示器１４の画面の最後の列数の場合（ステップＳ２０９、ＹＥＳ）、映像処理部５５は、映像表示器１４の画面に表示するフレームデータがあるか否かを判断する（ステップＳ２１０）。フレームデータが最後である場合（ステップＳ２１０、ＹＥＳ）、映像処理部５５は、映像表示器１４およびバックライト２６に対する制御を終了する（ステップＳ２１１）。フレームデータが最後でない場合（ステップＳ２１０、ＮＯ）、映像処理部５５は、ステップＳ２００に戻って映像表示器１４およびバックライト２６に対して制御する。
【００８０】
つまり、映像処理部５５は、図１１に示すように映像表示器１４の画面の列ごとに画面の上方から下方に向かって新たなフレームデータを書き込み、映像表示器１４のフレームにおける全列数のうち２分の１以上の列数を占めるフレームデータの部分のバックライト２６をオン状態となるように制御する。
【００８１】
また、制御部５６は、映像表示器１４のフレームにおける全列数のうち２分の１以上の列数を占めるフレームデータが左目に見せるフレームデータであれば液晶シャッタ眼鏡（左側）２７をオープン状態（図では太斜線で表示）、液晶シャッタ眼鏡（右側）２８をクローズ状態（図では白地で表示）となるように制御する。逆に、制御部５６は、映像表示器１４のフレームにおける全列数のうち２分の１以上の列数を占めるフレームデータが右目に見せるフレームデータであれば液晶シャッタ眼鏡（右側）２８をオープン状態、液晶シャッタ眼鏡（左側）２７をクローズ状態となるように制御する。
【００８２】
上記説明したバックライト２６のオン／オフ制御、これに対応する液晶シャッタ眼鏡（左側）２７および液晶シャッタ眼鏡（右側）２８のオープン状態またはクローズ状態への制御により、ユーザの左右の目に入る映像表示器１４に表示されるフレームデータの映像は図１１に示すようになる。映像表示器１４に書き込まれるフレームデータが左目に見せるフレームデータである場合も、上記同様となる。
【００８３】
上記実施形態により、右目に見せるためのフレームデータと左目に見せるためのフレームデータが一つのフレームに重なり合っている場合であっても、左右の目には、それぞれの目に見せるためのフレームデータ以外は映らない。したがって、映像表示器１４に表示されるフレームデータの動作速度に関係なく、立体視における残像を減少させることができる。また、本実施形態では、バックライト２６、液晶シャッタ眼鏡（左側）２７および液晶シャッタ眼鏡（右側）２８の制御は容易にできる。
【００８４】
次に、上記デジタルテレビジョン放送受信装置１１において、バックライト２６のオン／オフ制御について図１３および図１４を用いて第３の実施形態を説明する。
【００８５】
図１３は、第３の実施形態にかかるバックライト２６のオン／オフ制御およびこれに伴いユーザの視界に入る映像を図９と同様に示した図である。ここで、バックライト２６のオンオフ制御について図１４に示すフローチャートを用いて説明する。
【００８６】
はじめに、映像処理部５５は、ａ＝１をセットして映像表示器１４およびバックライト２６を制御する（ステップＳ３００）。映像処理部５５は、上からａ列目（はじめは１列目）のバックライト２６をオンにし、上からａ列目以外のバックライト２６をオフにする。（ステップＳ３０１）。
【００８７】
そして、映像処理部５５は、映像表示器１４の画面のａ列目にフレームデータを書き込む（ステップＳ３０２）。次に、映像処理部５５は、ａ＝ａ＋１をセットして映像表示器１４およびバックライト２６を制御する（ステップＳ３０３）。映像処理部５５は、ａ＝映像表示器１４の画面の最後の列数か否かを判断する（ステップＳ３０４）。ａ＝映像表示器１４の画面の最後の列数でない場合（ステップＳ３０４、ＮＯ）、ステップＳ１０１に戻る。ａ＝映像表示器１４の画面の最後の列数の場合（ステップＳ３０４、ＹＥＳ）、映像処理部５５は、映像表示器１４の画面に表示するフレームデータがあるか否かを判断する（ステップＳ３０５）。フレームデータが最後である場合（ステップＳ３０５、ＹＥＳ）、映像処理部５５は、映像表示器１４およびバックライト２６に対する制御を終了する（ステップＳ３０６）。フレームデータが最後でない場合（ステップＳ３０５、ＮＯ）、映像処理部５５は、ステップＳ３００に戻って映像表示器１４およびバックライト２６に対して制御する。
【００８８】
つまり、映像処理部５５は、図１３に示すように映像表示器１４の画面の列ごとに画面の上方から下方に向かって新たなフレームデータを書き込むのと同じタイミングで、フレームデータが書き込まれた列のみバックライト２６をオン状態となるように制御する。
【００８９】
また、制御部５６は、映像表示器１４に書き込まれるフレームデータが左目に見せるフレームデータであれば液晶シャッタ眼鏡（左側）２７をオープン状態（図では太斜線で表示）、液晶シャッタ眼鏡（右側）２８をクローズ状態（図では白地で表示）となるように制御する。逆に、制御部５６は、映像表示器１４に書き込まれるフレームデータが右目に見せるフレームデータであれば液晶シャッタ眼鏡（右側）２８をオープン状態、液晶シャッタ眼鏡（左側）２７をクローズ状態となるように制御する。
【００９０】
上記説明したバックライト２６のオン／オフ制御、これに対応する液晶シャッタ眼鏡（左側）２７および液晶シャッタ眼鏡（右側）２８のオープン状態またはクローズ状態への制御により、ユーザの左右の目に入る映像表示器１４に表示されるフレームデータの映像は図１３に示すようになる。映像表示器１４に書き込まれるフレームデータが左目に見せるフレームデータである場合も、上記同様となる。
【００９１】
上記実施形態により、右目に見せるためのフレームデータと左目に見せるためのフレームデータが一つのフレームに重なり合っている場合であっても、左右の目には、それぞれの目に見せるためのフレームデータ以外は映らない。したがって、映像表示器１４に表示されるフレームデータの動作速度に関係なく、立体視における残像を減少させることができる。また、本実施形態では、バックライト２６、液晶シャッタ眼鏡（左側）２７および液晶シャッタ眼鏡（右側）２８の制御はより容易にできる。
【００９２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。  
以下、実施形態の構成について記載する。  
（１）液晶パネルは、第１の映像から第２の映像へ切り替えて表示する表示手段と、前記第１の映像から前記第２の映像への切り替え中に前記表示手段において前記第１の映像が表示された領域と前記第２の映像が表示された領域が混在している場合、前記表示手段のうち前記第１の映像が表示された領域または前記第２の映像が表示された領域のいずれか一方の少なくとも一部分の照明をオンする照明手段とを有する。  
（２）上記（１）の液晶パネルにおいて、前記表示手段はｎ列の走査線を有し、最上段の前記走査線から最下段の前記走査線に向かって前記走査線１列ごとに第１の映像から前記第２の映像へ書き換え、前記照明手段は、前記表示手段が前記最上段からａ列目の前記走査線に対して前記第１の映像から前記第２の映像へ書き換える場合、前記最上段から前記ａ列目までの前記走査線に対して照明をオフする。  
（３）上記（２）の液晶パネルにおいて、前記照明手段は、前記表示手段が前記最上段からｎ列目の前記走査線に対して第１の映像から前記第２の映像へ書き換える場合、前記最上段から前記ｎ列目までの前記走査線に対して照明をオンする。  
（４）上記（１）の液晶パネルにおいて、前記表示手段はｎ列の走査線を有し、最上段の前記走査線から最下段の前記走査線に向かって前記走査線１列ごとに第１の映像から前記第２の映像へ書き換え、前記照明手段は、前記表示手段に表示された前記第１の映像および前記第２の映像のうち前記ｎ列の半分以上の前記走査線に書き込まれた方の前記走査線に対して照明をオンする。  
（５）上記（１）の液晶パネルにおいて、前記表示手段はｎ列の走査線を有し、最上段の前記走査線から最下段の前記走査線に向かって前記走査線を１列ごとに第１の映像から前記第２の映像へ書き換え、前記照明手段は、前記ｎ列の前記走査線のうち前記表示手段が前記第１の映像から前記第２の映像へ書き換える１列のみ照明を順次にオンし、残りの列に対して照明をオフする。  
（６）映像表示装置は、第１の映像から第２の映像へ切り替えて表示する表示手段と、
前記表示手段に対して照明する照明手段と、前記第１の映像から前記第２の映像への切り替え中に前記表示手段に前記第１の映像が表示された領域と前記第２の映像が表示された領域が混在している場合、前記表示手段のうち前記第１の映像が表示された領域または前記第２の映像が表示された領域のいずれか一方の少なくとも一部分に対して前記照明手段による照明をオンするように制御する制御手段とを有する。  
（７）上記（６）の映像表示装置において、前記表示手段はｎ列の走査線を有し最上段の前記走査線から最下段の前記走査線に向かって前記走査線１列ごとに第１の映像から前記第２の映像へ書き換え、前記制御手段は、前記表示手段が前記最上段からａ列目の前記走査線に対して前記第１の映像から前記第２の映像へ書き換える場合、前記最上段から前記ａ列目までの前記走査線に対して前記照明手段による照明をオフする。  
（８）上記（７）の映像表示装置において、前記制御手段は、前記表示手段が前記最上段からｎ列目の前記走査線に対して第１の映像から前記第２の映像へ書き換える場合、前記最上段から前記ｎ列目の前記走査線に対して前記照明手段による照明をオンする。  
（９）上記（６）の映像表示装置において、前記表示手段はｎ列の走査線を有し、最上段の前記走査線から最下段の前記走査線に向かって前記走査線１列ごとに第１の映像から前記第２の映像へ書き換え、前記制御手段は、前記表示手段に表示された前記第１の映像および前記第２の映像のうち前記ｎ列の半分以上の前記走査線に書き込まれた映像の前記走査線に対して前記照明手段による照明をオンする。  
（１０）上記（６）の映像表示装置において、前記表示手段はｎ列の走査線を有し、最上段の前記走査線から最下段の前記走査線に向かって前記走査線を１列ごとに第１の映像から前記第２の映像へ書き換え、前記制御手段は、前記ｎ列の前記走査線のうち前記表示手段が前記第１の映像から前記第２の映像へ書き換える１列のみに対して前記照明手段による照明を順次にオンし、残りの列に対して照明をオフする。  
（１１）映像表示方法は、画面を第１の映像から第２の映像へ切り替え、前記第１の映像から前記第２の映像への切り替え中に前記第１の映像が表示された領域と前記第２の映像が表示された領域が混在している場合、前記画面のうち前記第１の映像が表示された領域または前記第２の映像が表示された領域のいずれか一方の少なくとも一部分に対して照明をオンする。  
（１２）上記（１１）の映像表示方法は、ｎ列の走査線を有し、前記第１の映像が表示されている状態の前記画面上で上段の前記走査線から最下段の前記走査線に向かって前記走査線１列ごとに第１の映像から前記第２の映像へ書き換え、前記画面の前記最上段からａ列目の前記走査線に対して前記第１の映像から前記第２の映像へ書き換える場合、前記最上段から前記ａ列目までの前記走査線に対する照明をオフする。  
（１３）上記（１２）の映像表示方法は、前記画面の前記最上段からｎ列目の前記走査線に対して第１の映像から前記第２の映像へ書き換える場合、前記最上段から前記ｎ列目の前記走査線に対する照明をオンする。  
（１４）上記（１１）の映像表示方法は、列の走査線を有し、最上段の前記走査線から最下段の前記走査線に向かって前記走査線１列ごとに第１の映像から前記第２の映像へ書き換え、前記画面に表示された前記第１の映像および前記第２の映像のうち前記ｎ列の半分以上の前記走査線に書き込まれた映像の前記走査線に対して照明をオンする。  
（１５）上記（１１）の映像表示方法は、列の走査線を有し、最上段の前記走査線から最下段の前記走査線に向かって前記走査線を１列ごとに第１の映像から前記第２の映像へ書き換え、前記ｎ列の前記走査線のうち前記第１の映像から前記第２の映像へ書き換える１列のみに対して照明を順次にオンし、残りの列に対して照明オフする。
【図面の簡単な説明】
【００９３】
【図１】本実施形態に係るデジタル放送受信記録再生装置の概観を示す図である。
【図２】本実施形態に係るデジタル放送受信記録再生装置の信号処理系を示すブロック図である。
【図３】本実施形態に係る映像表示器およびバックライトの概略図である。
【図４】本実施形態に係る映像表示器およびバックライトに対する制御、液晶シャッタ眼鏡（左側）および液晶シャッタ眼鏡（右側）に対する制御を示す図である。
【図５】本実施形態に係る映像表示器およびバックライトに対する制御、液晶シャッタ眼鏡（左側）および液晶シャッタ眼鏡（右側）に対する制御を示す図である。
【図６】本実施形態に係る液晶シャッタ眼鏡（右側）および液晶シャッタ眼鏡（左側）に対する制御信号を示した図である。
【図７】本実施形態に係る映像表示器に表示されるフレームデータについて示す図である。
【図８】本実施形態に係るバックライトのオン／オフ制御した場合の映像表示を示す図である。
【図９】第１の実施形態に係るバックライトのオン／オフ制御による視界に入る映像を示す図である。
【図１０】第１の実施形態に係るバックライトのオン／オフ制御のフローチャートである。
【図１１】第２の実施形態に係るバックライトのオン／オフ制御による視界に入る映像を示す図である。
【図１２】第２の実施形態に係るバックライトのオン／オフ制御のフローチャートである。
【図１３】第３の実施形態に係るバックライトのオン／オフ制御による視界に入る映像を示す図である。
【図１４】第３の実施形態に係るバックライトのオン／オフ制御のフローチャートである。
【符号の説明】
【００９４】
１１…デジタルテレビジョン放送受信装置、１４…映像表示器、２６…バックライト、２７…液晶シャッタ眼鏡（左側）、２８…液晶シャッタ眼鏡（右側）、５５…映像処理部、５６…制御部。
【図１】
2010066749.tif 000003
【図２】
2010066749.tif 000004
【図３】
2010066749.tif 000005
【図４】
2010066749.tif 000006
【図５】
2010066749.tif 000007
【図６】
2010066749.tif 000008
【図７】
2010066749.tif 000009
【図８】
2010066749.tif 000010
【図９】
2010066749.tif 000011
【図１０】
2010066749.tif 000012
【図１１】
2010066749.tif 000013
【図１２】
2010066749.tif 000014
【図１３】
2010066749.tif 000015
【図１４】
2010066749.tif 000016
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
左右のうち一方の目を覆い、開状態の場合は透過し、閉状態の場合は遮断する第１の開閉手段と、他方の目を覆い、開状態の場合は透過し、閉状態の場合は遮断するものであって、前記第１の開閉手段の状態と反対の状態とする第２の開閉手段とを有する眼鏡に対して用いられる液晶パネルにおいて、
ｎ行の走査線を有し、最上段の前記走査線から最下段の前記走査線に向かって前記走査線を１行ごとに前記一方の目に見せるための第１の映像から前記他方の目に見せるための第２の映像へ切り替えて表示する表示手段と、
前記ｎ行の前記走査線のうちａ行目に対して前記表示手段が前記第１の映像から前記第２の映像へ切り替える場合、前記ａ行目の１行のみに対して照明をオンし、前記ａ行目以外の行に対して照明をオフする照明手段と、
を有することを特徴とする液晶パネル。
【請求項２】
左右のうち一方の目を覆い、開状態の場合は透過し、閉状態の場合は遮断する第１の開閉手段と、他方の目を覆い、開状態の場合は透過し、閉状態の場合は遮断するものであって、前記第１の開閉手段の状態と反対の状態とする第２の開閉手段とを有する眼鏡に対して用いられる映像表示装置において、
ｎ行の走査線を有し、最上段の前記走査線から最下段の前記走査線に向かって前記走査線を１行ごとに前記一方の目に見せるための第１の映像から前記他方の目に見せるための第２の映像へ切り替えて表示する表示手段と、
前記表示手段に対して照明する照明手段と、
前記ｎ行の前記走査線のうちａ行目に対して前記表示手段が前記第１の映像から前記第２の映像へ切り替える場合、前記ａ行目の１行のみに対して前記照明手段による照明をオンし、前記ａ行目以外の行に対して照明をオフするように制御する制御手段と、
を有することを特徴とする映像表示装置。
【請求項３】
左右のうち一方の目を覆い、開状態の場合は透過し、閉状態の場合は遮断する第１の開閉手段と、他方の目を覆い、開状態の場合は透過し、閉状態の場合は遮断するものであって、前記第１の開閉手段の状態と反対の状態とする第２の開閉手段とを有する眼鏡に対して用いられる映像表示方法において、
ｎ行の走査線を有する表示手段の最上段の前記走査線から最下段の前記走査線に向かって前記走査線を１行ごとに前記一方の目に見せるための第１の映像から前記他方の目に見せるための第２の映像へ切り替え、
前記ｎ行の前記走査線のうちａ行目に対して前記第１の映像から前記第２の映像へ切り替える場合、前記ａ行目の１行のみに対して照明をオンし、前記ａ行目以外の行に対して照明をオフする、
ことを特徴とする映像表示方法。
【手続補正２】
【補正対象書類名】明細書
【補正対象項目名】００２３
【補正方法】変更
【補正の内容】
【００２３】
また、この映像処理部５５は、バックライト２６のオン／オフ制御をする。図３に、映像表示器１４の映像信号の表示およびバックライト３６のオン／オフ制御の概略図を示す。映像表示器１４は、画面の上方から下方に向かって、複数本の走査線を水平方向に有している。映像処理部５５は、映像信号を映像表示器１４の上方の走査線から下方の走査線に向かって順次矢印方向に１行ごと書き換え、一つのフレームデータを表示する。
【手続補正３】
【補正対象書類名】明細書
【補正対象項目名】００２４
【補正方法】変更
【補正の内容】
【００２４】
また、バックライト２６は、映像表示器１４を裏面から照明する。バックライト２６は、映像表示器１４が有している走査線の行ごとに照明することが可能である。そして、映像処理部５５は、バックライト２６でどの映像表示器１４の走査線を照明するか否かをオン／オフ制御する。ユーザは、バックライト２６で照明された映像表示器１４の部分のフレームデータを視認することができる。逆に、ユーザは、バックライト２６で照明されていない映像表示器１４の部分のフレームデータを視認することができない。本実施形態に係るバックライト２６のオン／オフ制御については、後に詳述する。
【手続補正４】
【補正対象書類名】明細書
【補正対象項目名】００５１
【補正方法】変更
【補正の内容】
【００５１】
映像処理部５５は、映像表示器１４の画面の行ごとに画面の上方から下方に向かって新たなフレームデータを書き込む。そのため、映像表示器１４は、フレームＡの状態からフレームＥの状態に画面の表示を切り替えるとき、例えばフレームＢ、Ｃ、Ｄに示すように、１枚目のフレームデータと２枚目のフレームデータを一つの画面に重ねて表示する。２枚目のフレームデータは、画面に表示されている１枚目のフレームデータに対して、画面の上部から下部に向かって一行ごと書き換えられる。
【手続補正５】
【補正対象書類名】明細書
【補正対象項目名】００６３
【補正方法】変更
【補正の内容】
【００６３】
ここで、バックライト２６のオンオフ制御について図１０に示すフローチャートを用いて説明する。はじめに、映像処理部５５は、ａ＝１をセットして映像表示器１４およびバックライト２６を制御する（ステップＳ１００）。映像処理部５５は、上からａ行目（はじめは１行目）のバックライト２６をオフにする（ステップＳ１０１）。
【手続補正６】
【補正対象書類名】明細書
【補正対象項目名】００６４
【補正方法】変更
【補正の内容】
【００６４】
そして、映像処理部５５は、映像表示器１４の画面のａ行目にフレームデータを書き込む（ステップＳ１０２）。次に、映像処理部５５は、ａ＝ａ＋１をセットして映像表示器１４およびバックライト２６を制御する（ステップＳ１０３）。映像処理部５５は、ａ＝映像表示器１４の画面の行数か否かを判断する（ステップＳ１０４）。ａ＝映像表示器１４の画面の行数でない場合（ステップＳ１０４、ＮＯ）、ステップＳ１０１に戻る。ａ＝映像表示器１４の画面の行数の場合（ステップＳ１０４、ＹＥＳ）、映像処理部５５は、映像表示器１４の画面全体のバックライト２６をオンする（ステップＳ１０５）。そして、映像処理部５５は、映像表示器１４の画面のａ行目（最終行）にフレームデータを書き込む（ステップＳ１０６）。
【手続補正７】
【補正対象書類名】明細書
【補正対象項目名】００６６
【補正方法】変更
【補正の内容】
【００６６】
つまり、映像処理部５５は、図１０に示すように映像表示器１４の画面の行ごとに画面の上方から下方に向かって新たなフレームデータを書き込むのと同じタイミングで、画面の行数全てに対してフレームデータが書き込まれた場合を除いて、画面の上方からフレームデータが書き込まれた行までのバックライト２６をオフ状態となるように制御する。
【手続補正８】
【補正対象書類名】明細書
【補正対象項目名】００６８
【補正方法】変更
【補正の内容】
【００６８】
映像表示器１４が、右目に見せるフレームデータが完全に表示した状態から左目に見せるフレームデータが完全に表示される状態までは、液晶シャッタ眼鏡（左側）２７はクローズ状態、液晶シャッタ眼鏡（右側）２８はオープン状態となる。つまり、映像表示器１４が、画面の上方に左目に見せるためのフレームデータ、下方に右目に見せるためのフレームデータが重ねて表示している場合は、液晶シャッタ眼鏡（左側）２７はクローズ状態、液晶シャッタ眼鏡（右側）２８はオープン状態となる。
【手続補正９】
【補正対象書類名】明細書
【補正対象項目名】００７３
【補正方法】変更
【補正の内容】
【００７３】
逆に、液晶シャッタ眼鏡（右側）２８を介してユーザの左目には、液晶シャッタ眼鏡（右側）２８がオープン状態であるフレームＡからフレームＤまでが映像表示器１４に表示される間、液晶シャッタ眼鏡（右側）２８がオープン状態であるため、液晶シャッタ眼鏡（右側）２８を介してユーザの右目には、映像表示器１４に表示されたフレームデータは映る。このとき、バックライト２６は、映像表示器１４の画面の上方から下方に向かって左目に見せるためのフレームデータが書き込まれるのと同じタイミングで画面の上方からフレームデータが書き込まれた行までオフとしている。そのため、液晶シャッタ眼鏡（右側）２８を介してユーザの右目には、映像表示器１４に表示されたフレームデータのうち右目に見せるためのフレームデータのみ映ることになる。次に、フレームＥからフレームＨまでが映像表示器１４に表示される間、液晶シャッタ眼鏡（右側）２８がクローズ状態であるため、液晶シャッタ眼鏡（右側）２８を介してユーザの右目には、映像表示器１４に表示されたフレームデータは映らない。次に、フレームＩからフレームＬまでが映像表示器１４に表示される間、上記説明したフレームＩからフレームＬまでの間と同様に液晶シャッタ眼鏡（右側）２８を介してユーザの右目には、映像表示器１４に表示されたフレームデータのうち右目に見せるためのフレームデータのみ映ることになる。
【手続補正１０】
【補正対象書類名】明細書
【補正対象項目名】００７７
【補正方法】変更
【補正の内容】
【００７７】
はじめに、映像処理部５５は、ａ＝１をセットして映像表示器１４およびバックライト２６を制御する（ステップＳ２００）。映像処理部５５は、上からａ行目（はじめは１行目）のバックライト２６をオフにする（ステップＳ２０１）。
【手続補正１１】
【補正対象書類名】明細書
【補正対象項目名】００７８
【補正方法】変更
【補正の内容】
【００７８】
そして、映像処理部５５は、映像表示器１４の画面のａ行目にフレームデータを書き込む（ステップＳ２０２）。次に、映像処理部５５は、ａ＝ａ＋１をセットして映像表示器１４およびバックライト２６を制御する（ステップＳ２０３）。映像処理部５５は、上方からａ行目が映像表示器１４の画面の全行数の２分の１よりも大きいか否かを判断する（ステップＳ２０４）。ａ行目が映像表示器１４の画面の全行数の２分の１よりも大きくない場合（ステップＳ２０４、ＮＯ）、ステップＳ１０１に戻る。ａ行目が映像表示器１４の画面の全行数の２分の１よりも大きい場合（ステップＳ２０４、ＹＥＳ）、映像処理部５５は、映像表示器１４の０からａ−１行目までのバックライト２６をオンし、ａ＋１行目以降のバックライト２６をオフする（ステップＳ２０５）。次に、映像処理部５５は、映像表示器１４のａ行目のバックライト２６をオンする（ステップＳ２０６）。そして、映像処理部５５は、映像表示器１４の画面のａ＋１行目にフレームデータを書き込む（ステップＳ２０７）。映像処理部５５は、ａ＝ａ＋１をセットして映像表示器１４およびバックライト２６を制御する（ステップＳ２０８）。
【手続補正１２】
【補正対象書類名】明細書
【補正対象項目名】００７９
【補正方法】変更
【補正の内容】
【００７９】
映像処理部５５は、ａ＝映像表示器１４の画面の最後の行数か否かを判断する（ステップＳ２０９）。ａ＝映像表示器１４の画面の最後の行数でない場合（ステップＳ２０９、ＮＯ）、ステップＳ２０６に戻る。ａ＝映像表示器１４の画面の最後の行数の場合（ステップＳ２０９、ＹＥＳ）、映像処理部５５は、映像表示器１４の画面に表示するフレームデータがあるか否かを判断する（ステップＳ２１０）。フレームデータが最後である場合（ステップＳ２１０、ＹＥＳ）、映像処理部５５は、映像表示器１４およびバックライト２６に対する制御を終了する（ステップＳ２１１）。フレームデータが最後でない場合（ステップＳ２１０、ＮＯ）、映像処理部５５は、ステップＳ２００に戻って映像表示器１４およびバックライト２６に対して制御する。
【手続補正１３】
【補正対象書類名】明細書
【補正対象項目名】００８０
【補正方法】変更
【補正の内容】
【００８０】
つまり、映像処理部５５は、図１１に示すように映像表示器１４の画面の行ごとに画面の上方から下方に向かって新たなフレームデータを書き込み、映像表示器１４のフレームにおける全行数のうち２分の１以上の行数を占めるフレームデータの部分のバックライト２６をオン状態となるように制御する。
【手続補正１４】
【補正対象書類名】明細書
【補正対象項目名】００８１
【補正方法】変更
【補正の内容】
【００８１】
また、制御部５６は、映像表示器１４のフレームにおける全行数のうち２分の１以上の行数を占めるフレームデータが左目に見せるフレームデータであれば液晶シャッタ眼鏡（左側）２７をオープン状態（図では太斜線で表示）、液晶シャッタ眼鏡（右側）２８をクローズ状態（図では白地で表示）となるように制御する。逆に、制御部５６は、映像表示器１４のフレームにおける全行数のうち２分の１以上の行数を占めるフレームデータが右目に見せるフレームデータであれば液晶シャッタ眼鏡（右側）２８をオープン状態、液晶シャッタ眼鏡（左側）２７をクローズ状態となるように制御する。
【手続補正１５】
【補正対象書類名】明細書
【補正対象項目名】００８６
【補正方法】変更
【補正の内容】
【００８６】
はじめに、映像処理部５５は、ａ＝１をセットして映像表示器１４およびバックライト２６を制御する（ステップＳ３００）。映像処理部５５は、上からａ行目（はじめは１行目）のバックライト２６をオンにし、上からａ行目以外のバックライト２６をオフにする。（ステップＳ３０１）。
【手続補正１６】
【補正対象書類名】明細書
【補正対象項目名】００８７
【補正方法】変更
【補正の内容】
【００８７】
そして、映像処理部５５は、映像表示器１４の画面のａ行目にフレームデータを書き込む（ステップＳ３０２）。次に、映像処理部５５は、ａ＝ａ＋１をセットして映像表示器１４およびバックライト２６を制御する（ステップＳ３０３）。映像処理部５５は、ａ＝映像表示器１４の画面の最後の行数か否かを判断する（ステップＳ３０４）。ａ＝映像表示器１４の画面の最後の行数でない場合（ステップＳ３０４、ＮＯ）、ステップＳ１０１に戻る。ａ＝映像表示器１４の画面の最後の行数の場合（ステップＳ３０４、ＹＥＳ）、映像処理部５５は、映像表示器１４の画面に表示するフレームデータがあるか否かを判断する（ステップＳ３０５）。フレームデータが最後である場合（ステップＳ３０５、ＹＥＳ）、映像処理部５５は、映像表示器１４およびバックライト２６に対する制御を終了する（ステップＳ３０６）。フレームデータが最後でない場合（ステップＳ３０５、ＮＯ）、映像処理部５５は、ステップＳ３００に戻って映像表示器１４およびバックライト２６に対して制御する。
【手続補正１７】
【補正対象書類名】明細書
【補正対象項目名】００８８
【補正方法】変更
【補正の内容】
【００８８】
つまり、映像処理部５５は、図１３に示すように映像表示器１４の画面の行ごとに画面の上方から下方に向かって新たなフレームデータを書き込むのと同じタイミングで、フレームデータが書き込まれた行のみバックライト２６をオン状態となるように制御する。
【手続補正１８】
【補正対象書類名】明細書
【補正対象項目名】００９２
【補正方法】変更
【補正の内容】
【００９２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。  
以下、実施形態の構成について記載する。  
（１）液晶パネルは、第１の映像から第２の映像へ切り替えて表示する表示手段と、前記第１の映像から前記第２の映像への切り替え中に前記表示手段において前記第１の映像が表示された領域と前記第２の映像が表示された領域が混在している場合、前記表示手段のうち前記第１の映像が表示された領域または前記第２の映像が表示された領域のいずれか一方の少なくとも一部分の照明をオンする照明手段とを有する。  
（２）上記（１）の液晶パネルにおいて、前記表示手段はｎ行の走査線を有し、最上段の前記走査線から最下段の前記走査線に向かって前記走査線１行ごとに第１の映像から前記第２の映像へ書き換え、前記照明手段は、前記表示手段が前記最上段からａ行目の前記走査線に対して前記第１の映像から前記第２の映像へ書き換える場合、前記最上段から前記ａ行目までの前記走査線に対して照明をオフする。  
（３）上記（２）の液晶パネルにおいて、前記照明手段は、前記表示手段が前記最上段からｎ行目の前記走査線に対して第１の映像から前記第２の映像へ書き換える場合、前記最上段から前記ｎ行目までの前記走査線に対して照明をオンする。  
（４）上記（１）の液晶パネルにおいて、前記表示手段はｎ行の走査線を有し、最上段の前記走査線から最下段の前記走査線に向かって前記走査線１行ごとに第１の映像から前記第２の映像へ書き換え、前記照明手段は、前記表示手段に表示された前記第１の映像および前記第２の映像のうち前記ｎ行の半分以上の前記走査線に書き込まれた方の前記走査線に対して照明をオンする。  
（５）上記（１）の液晶パネルにおいて、前記表示手段はｎ行の走査線を有し、最上段の前記走査線から最下段の前記走査線に向かって前記走査線を１行ごとに第１の映像から前記第２の映像へ書き換え、前記照明手段は、前記ｎ行の前記走査線のうち前記表示手段が前記第１の映像から前記第２の映像へ書き換える１行のみ照明を順次にオンし、残りの行に対して照明をオフする。  
（６）映像表示装置は、第１の映像から第２の映像へ切り替えて表示する表示手段と、
前記表示手段に対して照明する照明手段と、前記第１の映像から前記第２の映像への切り替え中に前記表示手段に前記第１の映像が表示された領域と前記第２の映像が表示された領域が混在している場合、前記表示手段のうち前記第１の映像が表示された領域または前記第２の映像が表示された領域のいずれか一方の少なくとも一部分に対して前記照明手段による照明をオンするように制御する制御手段とを有する。  
（７）上記（６）の映像表示装置において、前記表示手段はｎ行の走査線を有し最上段の前記走査線から最下段の前記走査線に向かって前記走査線１行ごとに第１の映像から前記第２の映像へ書き換え、前記制御手段は、前記表示手段が前記最上段からａ行目の前記走査線に対して前記第１の映像から前記第２の映像へ書き換える場合、前記最上段から前記ａ行目までの前記走査線に対して前記照明手段による照明をオフする。  
（８）上記（７）の映像表示装置において、前記制御手段は、前記表示手段が前記最上段からｎ行目の前記走査線に対して第１の映像から前記第２の映像へ書き換える場合、前記最上段から前記ｎ行目の前記走査線に対して前記照明手段による照明をオンする。  
（９）上記（６）の映像表示装置において、前記表示手段はｎ行の走査線を有し、最上段の前記走査線から最下段の前記走査線に向かって前記走査線１行ごとに第１の映像から前記第２の映像へ書き換え、前記制御手段は、前記表示手段に表示された前記第１の映像および前記第２の映像のうち前記ｎ行の半分以上の前記走査線に書き込まれた映像の前記走査線に対して前記照明手段による照明をオンする。  
（１０）上記（６）の映像表示装置において、前記表示手段はｎ行の走査線を有し、最上段の前記走査線から最下段の前記走査線に向かって前記走査線を１行ごとに第１の映像から前記第２の映像へ書き換え、前記制御手段は、前記ｎ行の前記走査線のうち前記表示手段が前記第１の映像から前記第２の映像へ書き換える１行のみに対して前記照明手段による照明を順次にオンし、残りの行に対して照明をオフする。  
（１１）映像表示方法は、画面を第１の映像から第２の映像へ切り替え、前記第１の映像から前記第２の映像への切り替え中に前記第１の映像が表示された領域と前記第２の映像が表示された領域が混在している場合、前記画面のうち前記第１の映像が表示された領域または前記第２の映像が表示された領域のいずれか一方の少なくとも一部分に対して照明をオンする。  
（１２）上記（１１）の映像表示方法は、ｎ行の走査線を有し、前記第１の映像が表示されている状態の前記画面上で上段の前記走査線から最下段の前記走査線に向かって前記走査線１行ごとに第１の映像から前記第２の映像へ書き換え、前記画面の前記最上段からａ行目の前記走査線に対して前記第１の映像から前記第２の映像へ書き換える場合、前記最上段から前記ａ行目までの前記走査線に対する照明をオフする。  
（１３）上記（１２）の映像表示方法は、前記画面の前記最上段からｎ行目の前記走査線に対して第１の映像から前記第２の映像へ書き換える場合、前記最上段から前記ｎ行目の前記走査線に対する照明をオンする。  
（１４）上記（１１）の映像表示方法は、行の走査線を有し、最上段の前記走査線から最下段の前記走査線に向かって前記走査線１行ごとに第１の映像から前記第２の映像へ書き換え、前記画面に表示された前記第１の映像および前記第２の映像のうち前記ｎ行の半分以上の前記走査線に書き込まれた映像の前記走査線に対して照明をオンする。  
（１５）上記（１１）の映像表示方法は、行の走査線を有し、最上段の前記走査線から最下段の前記走査線に向かって前記走査線を１行ごとに第１の映像から前記第２の映像へ書き換え、前記ｎ行の前記走査線のうち前記第１の映像から前記第２の映像へ書き換える１行のみに対して照明を順次にオンし、残りの行に対して照明オフする。
【手続補正１９】
【補正対象書類名】図面
【補正対象項目名】図１０
【補正方法】変更
【補正の内容】
【図１０】
2010066749.tif 000017
【手続補正２０】
【補正対象書類名】図面
【補正対象項目名】図１２
【補正方法】変更
【補正の内容】
【図１２】
2010066749.tif 000018
【手続補正２１】
【補正対象書類名】図面
【補正対象項目名】図１４
【補正方法】変更
【補正の内容】
【図１４】
2010066749.tif 000019